(57)【要約】【課題】  例えば、光軸の方向において光学要素の移動を行うのに有利なアダプタ装置を提供することを目的とする。【解決手段】  レンズ装置とカメラ装置との間に着脱可能なアダプタ装置は、鏡筒と、光軸の方向において前記鏡筒の移動を行うための移動機構と、前記移動機構を操作する操作部と、を有することを特徴とする。【選択図】  図４
2020197580.tif 000002
【特許請求の範囲】
【請求項１】
レンズ装置とカメラ装置との間に着脱可能なアダプタ装置であって、
鏡筒と、
光軸の方向において前記鏡筒の移動を行うための移動機構と、
前記移動機構を操作する操作部と、
を有することを特徴とするアダプタ装置。
【請求項２】
前記方向における前記鏡筒の位置に対応する光学的な状態を表示する表示部を有することを特徴とする請求項１に記載のアダプタ装置。
【請求項３】
前記鏡筒は、前記移動により倍率を変更する機能を有することを特徴とする請求項１または請求項２に記載のアダプタ装置。
【請求項４】
前記鏡筒は、前記移動により収差を変更する機能を有することを特徴とする請求項１または請求項２に記載のアダプタ装置。
【請求項５】
前記鏡筒は、前記移動により焦点位置を変更する機能を有することを特徴とする請求項１または請求項２に記載のアダプタ装置。
【請求項６】
前記鏡筒は、前記移動によりボケの状態を変更する機能を有することを特徴とする請求項１または請求項２に記載のアダプタ装置。
【請求項７】
前記方向において前記鏡筒を付勢する弾性部材を有することを請求項１ないし請求項６のうちいずれか１項に記載のアダプタ装置。
【請求項８】
前記鏡筒は、レンズを含むことを特徴とする請求項１ないし請求項７のうちいずれか１項に記載のアダプタ装置。
【請求項９】
前記鏡筒は、フィルタを含むことを特徴とする請求項１、請求項２、または請求項６に記載のアダプタ装置。
【請求項１０】
レンズ装置と、
カメラ装置と、
前記レンズ装置と前記カメラ装置との間に装着された請求項１ないし請求項９のうちいずれか１項に記載のアダプタ装置と、
を含むことを特徴とする撮像装置。
【発明の詳細な説明】
【技術分野】
【０００１】
本発明は、アダプタ装置および撮像装置に関する。
【背景技術】
【０００２】
レンズ装置とカメラ装置（撮像装置本体）との間に装着されるアダプタ装置が知られている。アダプタ装置は、カメラ装置内の撮像素子の撮像領域と、レンズ装置のイメージサークルとが互いに整合しない場合や、カメラ装置のマウントとレンズ装置のマウントとが互いに整合しない場合に、カメラ装置とレンズ装置との間に装着されうる。また、インターフェースの整合しないカメラ装置とレンズ装置とを互いに連結して使用可能としたり、レンズ装置のフランジバックの長さを変換したりするのに、アダプタ装置は用いられうる。
【０００３】
ここで、特許文献１は、ＮＤフィルタを内蔵し、光量を調整する機能を備えたアダプタ装置を開示している。また、特許文献２は、防振光学系を内蔵したアダプタ装置を開示している。
【先行技術文献】
【特許文献】
【０００４】
【特許文献１】特開２００７−２４３９２８号公報
【特許文献２】特開２００３−２９５０２６号公報
【発明の概要】
【発明が解決しようとする課題】
【０００５】
特許文献１および特許文献２に開示されたアダプタ装置においては、光軸に垂直な面に沿って光学要素（鏡筒）の移動または回転を行う機能は有しているものの、光軸の方向に沿って光学要素の移動を行う機能は有していない。
【０００６】
本発明は、例えば、光軸の方向において光学要素の移動を行うのに有利なアダプタ装置を提供することを目的とする。
【課題を解決するための手段】
【０００７】
上記目的を達成するために、本発明のアダプタ装置は、レンズ装置とカメラ装置との間に着脱可能なアダプタ装置であって、鏡筒と、光軸の方向において前記鏡筒の移動を行うための移動機構と、前記移動機構を操作する操作部と、を有することを特徴とする。
【発明の効果】
【０００８】
本発明によれば、例えば、光軸の方向において光学要素の移動を行うのに有利なアダプタ装置を提供することができる。
【図面の簡単な説明】
【０００９】
【図１】本発明の実施例におけるレンズアダプタ装置を構成した撮影システムの代表的な構成
【図２】本発明の実施例におけるレンズアダプタ装置を構成した撮影システムの分解図
【図３】本発明の実施例におけるレンズアダプタ装置の構成を示す図
【図４】本発明の実施例におけるレンズアダプタ装置の第１の状態を示す図
【図５】本発明の実施例におけるレンズアダプタ装置の第１の状態を解除する操作を示す図
【図６】本発明の実施例におけるレンズアダプタ装置の第２の状態を示す図
【図７】本発明の実施例におけるレンズアダプタ装置のを構成した撮影システムの代表的な表示部を示す図
【図８】本発明の実施例におけるレンズアダプタ装置のを構成した撮影システムの表示部の他の例を示す図
【図９】本発明の実施例におけるレンズアダプタ装置の他の構成の例を示す図
【発明を実施するための形態】
【００１０】
以下に、本発明の好ましい実施の形態を、図１〜図９に図示した実施例に基づいて詳細に説明する。
【実施例】
【００１１】
以下、図１から図９を参照して、本発明の実施例によるレンズアダプタ装置について説明する。
本実施例におけるレンズアダプタ装置を構成した撮影装置の代表的な構成を図１に示す。
【００１２】
レンズアダプタ装置１はレンズ装置２と、レンズ装置２の像面に配される、撮像素子を有するカメラ装置３の間に着脱可能に構成され、レンズ装置２と、レンズ装置２の像側に配置されるレンズアダプタ装置１と、レンズアダプタ装置の像側に配置されるカメラ装置３とで撮像装置を構成する。
【００１３】
レンズアダプタ装置１は図２におけるレンズ装置２のマウント２０と係合するレンズ側マウント４と、カメラ装置３のマウント３０と係合するカメラ側マウント５によりレンズ装置２、カメラ装置３とそれぞれ接続される。この時、レンズ装置２のマウント接点２０ａと接触する接点４ａ（図３参照）と、カメラ装置３のマウント接点３０ａと接触する接点５ａとで、レンズアダプタ装置１を介してレンズ装置２とカメラ装置３の間の通信を行う。
【００１４】
図３には本発明の第１の実施例におけるレンズアダプタ装置の構成を示す。固定筒６の両端にはレンズ側マウント４とカメラ側マウント５が一体的に構成される。固定筒６の内径にはレンズ鏡筒７が光軸方向に移動可能に嵌入する。レンズ鏡筒７にはカムピン７ａ（図４参照）が一体的に設けられ、カムピン７ａは固定筒６の光軸方向に略平行な直線溝６ａと、カム筒８に設けられたカム溝８ａとに係合し、カム筒８の固定筒６周りの回転により光軸方向に移動する。カム筒８の外側にはカバー１０が構成され、カバー１０に設けられた操作溝１０ａから突出するように設けられた操作レバー（操作部）９によりカム筒の回転を操作する。
【００１５】
図４において、操作レバー軸９ａに螺合するナット９ｂは操作溝１０ａに任意の数設けられた凹部１０ｂに係合することでカム筒８のカバー１０に対する回転を規制する。図５において、ナット９ｂを緩めて凹部１０ｂとの係合を解除すると、操作レバー９の操作によりカム筒８がカバー１０に対して回転する。カム筒８が回転すると、図６のようにレンズ鏡筒７が移動し、レンズ鏡筒７に支持される光学要素（レンズ）７ｂの光軸上の位置が変化する。
【００１６】
カム機構による光軸方向への移動機構におけるカムフォロワーとカム溝との間の遊びによる停止位置の不安定性を低減するために、弾性部材によりカム筒８を光軸方向の一方向側へ付勢するようにしてもよい。その場合、ゴム材料、コイルバネ等のバネ材、波形ワッシャーなどを弾性部材として使用することができるが、本発明はそれら弾性部材の種別に限定されるものではない。
【００１７】
光学要素７ｂの移動により変化する光学的状態が倍率である場合、図７に示すように、カバー１０に設けられた表示部１０ｃには操作レバー９の位置に応じた倍率の表示を行う。
【００１８】
以上説明した通り、本実施例のレンズアダプタ装置は、撮影レンズとカメラ装置との間に装着するレンズアダプタ装置の内部の光学要素の光軸上の位置を操作し、操作位置に対応する光学的な状態を表示する。それによりレンズアダプタ装置に光学的な機能を追加することが可能なる。
【００１９】
本実施例においては、表示手段として表示部１０ｃをカバー１０に設けたが、図８に示すように、別の表示装置１１やカメラモニター３ａに状態を表示することも可能である。
【００２０】
また、本実施例においては、光学要素７ｂの移動により変化する光学的状態を倍率としたが、倍率だけでなく、収差、焦点位置、ボケ等の変化を操作可能とする装置に本発明を適用しても良い。
【００２１】
また、本実施例においては、光学要素７ｂとしてレンズを例示して説明したが本発明はこれに限定されることはなく、光学要素７ｂとしてフィルタを光軸方向に移動可能として光学的変化を操作可能とする装置に本発明を適用しても良い。
【００２２】
本実施例においては、光学要素の移動を光軸回りの回転としたが、図９に示すヘリコイド構造のように、光軸回りの回転と光軸方向の移動を同時に行うことも可能である。
【００２３】
図９において、操作レバー９は操作リング１７に固定される。操作リング１７には連動ピン１７ａが一体的に設けられており、連動ピン１７ａは固定筒１８に設けられた貫通溝１８ａを通ってオスヘリコイド１９に設けられた連動溝１９ａに係合する。オスヘリコイド１９は固定筒１８の内径に設けられたメスヘリコイド１８ｂと螺合し、光学要素１９ｂはオスヘリコイド１９に搭載される。操作レバー９の操作によりオスヘリコイド１９が回転すると、光学要素１９ｂはネジ送りにより回転しながら光軸方向への移動を行う。
【００２４】
以上、本発明の好ましい実施形態について説明したが、本発明はこれらの実施形態に限定されず、その要旨の範囲内で種々の変形および変更が可能である。
【符号の説明】
【００２５】
１    ：レンズアダプタ装置
７ｂ  ：光学要素
８    ：カム筒
９    ：操作レバー（操作部）
【図１】
2020197580.tif 000003
【図２】
2020197580.tif 000004
【図３】
2020197580.tif 000005
【図４】
2020197580.tif 000006
【図５】
2020197580.tif 000007
【図６】
2020197580.tif 000008
【図７】
2020197580.tif 000009
【図８】
2020197580.tif 000010
【図９】
2020197580.tif 000011